【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
リクライニングし、前方に傾斜するように構成された車椅子であって、
（ａ）第１のピボット軸を有する基部フレームと、
（ｂ）前記基部フレームに回転可能に取り付けられた少なくとも２つのホイールと、
（ｃ）第１の着座位置から傾斜した着座位置まで、前記第１のピボット軸を中心として旋回するように構成された、シートアセンブリ及びフットレストアセンブリと、
（ｄ）前記基部フレームに旋回可能に結合され、前記シートアセンブリがリクライニングするときに前記シートアセンブリと一致して、しかし前記フットレストアセンブリとは独立して上昇するように、第２のピボット軸を中心として旋回するように構成された、レッグレストアセンブリと、
を含む、車椅子。
【請求項２】
前記第２のピボット軸は、前記第１のピボット軸に近接又は一致する、請求項１に記載の車椅子。
【請求項３】
前記第１のピボット軸を定めるピボットシャフトであって、
前記シートアセンブリが、前記ピボットシャフトを中心として旋回して前方に傾斜し、かつ、
前記シートアセンブリが、前記ピボットシャフトを中心として旋回してリクライニングするように、
前記シートアセンブリが、前記ピボットシャフトに固定的に取り付けられる、
ピボットシャフトを含み、
前記ピボットシャフトが、フレーム部材とは独立して自由に旋回できるように、前記フレーム部材が、前記ピボットシャフトから前記少なくとも２つのホイールへ延び、
前記フットレストアセンブリが、前記ピボットシャフトとは独立して自由に旋回できるように、前記フットレストアセンブリが、前記ピボットシャフトに旋回可能に取り付けられ、
前記フットレストアセンブリは、前記シートアセンブリが前方に旋回するとき、前記フットレストアセンブリが床又は地面に接触する時点まで前記フットレストアセンブリが前方に旋回するまで、前記シートアセンブリと一致して旋回するように、前記シートアセンブリに付随し、
前記時点で、前記シートアセンブリを更に前方に旋回させても、前記フットレストアセンブリは、手動での介入なしに更に前方に旋回することはない、
請求項１に記載の車椅子。
【請求項４】
フロントホイールを含み、
前記基部フレームに回転可能に取り付けられた前記２つのホイールは、前記基部フレームの後部に取り付けられたリアホイールであり、
シートの前縁近くに配置された前記基部フレーム上のピボットシャフトであって、
前記ピボットシャフトは、
前記シートアセンブリが、前記第１のピボット軸を中心として旋回して前方に傾斜し、又はリクライニングできる、前記第１のピボット軸を定め、
前記シートアセンブリは、前記ピボットシャフトに固定的に取り付けられている、
ピボットシャフトを含み、
前記シートアセンブリは、シート及び背もたれを定め、
前記基部フレームは、前記シートアセンブリを支持し、
前記フットレストアセンブリは、前記ピボットシャフトに取り付けられ、
前記フットレストアセンブリは、
前記ピボットシャフトとは無関係に自由に旋回して前方に傾斜し、かつ、
前記フットレストアセンブリが床又は地面に接触する程度まで前記シートアセンブリが前方に傾斜されるまで、前記シートアセンブリと一致して旋回して前方に傾斜し、前記程度の時点で、前記シートアセンブリが更に前方に傾斜しても、前記フットレストアセンブリが、手動での介入なしに旋回して更に前方に傾斜することはないように、前記シートアセンブリと物理的に結合された、
請求項１に記載の車椅子。
【請求項５】
（ａ）前記第１のピボット軸を定め、前記基部フレームに対して旋回できるように前記基部フレームに旋回可能に取り付けられたピボットシャフトであって、
前記シートアセンブリは、前記シートアセンブリが、前記ピボットシャフトを中心として旋回して前方に傾斜し、リクライニングするように、前記ピボットシャフトに固定的に取り付けられた、
ピボットシャフトと、
（ｂ）前記ピボットシャフトが、前記フレーム部材とは独立して自由に旋回できるように、前記ピボットシャフトから前記少なくとも１つのホイールへ延びるフレーム部材と、
（ｃ）前記フットレストアセンブリが、床にも地面にも接触していないときに、前記フットレストアセンブリを前記シートアセンブリと一致して旋回させて前方に傾斜させるが、
前記フットレストアセンブリが床又は地面に接触している場合に、前記シートアセンブリが前方に傾斜するときに前記フットレストアセンブリが静止したままとなることを可能にする、
前記シートアセンブリ及び前記フットレストアセンブリに設けられた手段と、を含み、
前記フットレストアセンブリが、椅子の使用中に、前記ピボットシャフトとは独立して、前記シートアセンブリと一致して自由に旋回して前方に傾斜できるが、前記シートアセンブリがリクライニングするときは、前記シートアセンブリと一致して旋回してリクライニングしないように、
前記フットレストアセンブリが、前記ピボットシャフトに旋回可能に取り付けられている、
請求項１に記載の車椅子。
【請求項６】
前記シートアセンブリは、前縁及び後縁を有するシートを含み、前記シートアセンブリは、前方に傾斜し、リクライニングするように構成され、
前記フットレストアセンブリは、上端及び下端を有する支持部材、及び前記支持部材から延び、前記支持部材の下端近くにあるフットプレートとを含み、
前記シートアセンブリと前記フットレストアセンブリは、前記前縁及び前記上端の近くで互いに旋回可能に結合され、
前記シートアセンブリ及びフットレストは、前記フットプレートが床よりも上に上昇した第１の着座位置から、前記フットプレートが床に接触する第２の着座位置へ、前記第１のピボット軸を中心として旋回して前方に傾斜する間、一致して旋回するように構成され、
前記シートアセンブリは、更に前記フットレストアセンブリから結合解除されて前方に傾斜し続けるように構成されている、
請求項１に記載の車椅子。
【請求項７】
前記第１のピボット軸を定めるピボットシャフトを含む、請求項１に記載の車椅子。
【請求項８】
前記第２のピボット軸は、前記第１のピボット軸の前方にある、請求項１に記載の車椅子。
【請求項９】
前記第２のピボット軸は、前記シートアセンブリの前端にある、請求項１に記載の車椅子。
【請求項１０】
前記レッグレストアセンブリは、右脚パッド及び左脚パッドを含む、請求項１に記載の車椅子。
【請求項１１】
前記レッグレストアセンブリは、右脚パッドアームによって支持される右脚パッド、及び左脚パッドアームによって支持される左脚パッドを含み、
前記左脚パッドアーム及び前記右脚パッドアームは、それぞれ、前記第２のピボット軸に延び、前記第２のピボット軸を中心として旋回する、
請求項１に記載の車椅子。
【請求項１２】
前記レッグレストアセンブリは、前記シートアセンブリが前記第１の着座位置にあるとき、前記シートアセンブリとは独立して上昇するように構成されている、
請求項１に記載の車椅子。
【請求項１３】
前記レッグレストアセンブリは、前記シートアセンブリがリクライニングするときに前記シートアセンブリと一致して上昇することに加えて、前記シートアセンブリとは独立して上昇及び下降するように構成されている、請求項１に記載の車椅子。
【請求項１４】
アームレストのペアであって、
前記アームレストが、前記基部フレームに対して平行移動し、前記基部フレームに対して第３のピボット軸を中心として旋回することを可能にするように構成された、アームレストのペアを含む、
請求項１に記載の車椅子。
【請求項１５】
アームレストのペアであって、
前記アームレストが、前記基部フレームに対して平行移動し、前記基部フレームに対して第３のピボット軸を中心として旋回することを可能にするように構成された、アームレストのペアを含み、
前記アームレストは、前記シートアセンブリが旋回してリクライニングするにつれて、前記車椅子の後部及び底部に向かって前記シートアセンブリと一致して平行移動するように構成された、
請求項１に記載の車椅子。
【請求項１６】
アームレストのペアであって、
前記アームレストが、前記基部フレームに対して平行移動し、前記基部フレームに対して第３のピボット軸を中心として旋回することを可能にするように構成された、アームレストのペアを含み、
前記アームレストは、前記シートアセンブリが旋回してリクライニングするにつれて、前記フットレストの傾斜に平行な傾斜を保つように旋回するように構成された、
請求項１に記載の車椅子。
【請求項１７】
アームレストのペアであって、
前記アームレストが、前記基部フレームに対して平行移動することを可能にするように構成された、アームレストのペアを含み、
前記アームレストは、前記シートアセンブリが旋回してリクライニングするにつれて、前記車椅子の前記ホイールに接触するように前記シートアセンブリと一致して平行移動するように構成され、
前記接触は、前記ホイールの回転を阻止する、
請求項１に記載の車椅子。
【請求項１８】
前記シートアセンブリに取り付けられ、少なくとも２自由度で調節可能なヘッドレストを含む、請求項１に記載の車椅子。
【請求項１９】
ヘッドレストポストを介して前記シートアセンブリに取り付けられたヘッドレストを含み、
前記ヘッドレストポストは、冠状面に略平行なヘッドレストピボット軸とのピボット連結を介して前記シートアセンブリに連結されている、
請求項１に記載の車椅子。
【請求項２０】
ヘッドレストポストを介して前記シートアセンブリに取り付けられたヘッドレストを含み、
前記ヘッドレストポストは、前記シートアセンブリから前記ヘッドレストまでの距離を調節可能にする摺動連結を介して、前記シートアセンブリに連結されている、
請求項１に記載の車椅子。